(57)【特許請求の範囲】
【請求項１】
受信周波数帯域が送信周波数帯域より低く割当てられたＴＤＭＡ方式のディジタル移動無線システムの送受信機であって、
局部発振手段として設けられた電圧制御発振器の共振回路に並列接続された付加リアクタンスを送受帯域切替信号によりオン／オフすることによって送信スロットと受信スロットの局発信号を送信側ミキサと受信側ミキサに対して切替え出力する周波数シンセサイザが備えられたディジタル移動無線機において、
前記付加リアクタンスは、前記共振回路に並列接続された第１のコンデンサとコイルとの直列回路と、該コイルと並列に設けられ前記送受帯域切替信号によりオン／オフされる第２のコンデンサとからなり、
前記第１のコンデンサ，前記コイル，前記第２のコンデンサの値は、該第２のコンデンサがオフのときの前記付加リアクタンスのインピーダンスが、オンのときのインピーダンスより大きく、かつ、オフの時とオンの時の前記電圧制御発振器の出力周波数の差が所定の値になるように設定され、オフのとき受信周波数帯域となるように構成したことを特徴とするディジタル移動無線機。
【発明の詳細な説明】
【０００１】
【発明の属する技術分野】
本発明はディジタル移動無線機に関し、特に、バッテリセービングのため、そのシンセサイザの送受信周波数帯域切替部の改良に関すものである。
【０００２】
【従来の技術】
携帯電話等の移動体通信システムにおいては、ディジタル無線伝送技術，高能率音声符号化技術等の急激な進歩によりＩＣ化が進み、小形化と周波数の有効利用のためにディジタル変復調方式の移動無線機が急速に実用化されてきた。
【０００３】
ＴＤＭＡ（時分割多元接続）は、例えば、９００ＭＨｚ帯の移動無線機におけるディジタル方式の代表的な回線制御のアクセス技術であり、１ＴＤＭＡフレームは複数のチャネル（スロット）で構成され、移動機は自局に割当てられた送信スロットと受信スロットでバースト的に送信後受信し、更に空時間があって、周囲の基地局からの電波の強さをモニタすることができる。
【０００４】
公衆用，業務用など携帯無線の各運用システムには基地送信周波数帯域と移動送信周波数帯域が割り当てられている。
図２は周波数帯域の割当例図である。この例では、移動受信帯域（Ｒ）は移動送信帯域（Ｔ）より低い周波数に割り当てられており、移動機の送信スロットの周波数と受信スロットの周波数は、４５ＭＨｚの間隔で運用される。
【０００５】
このようなディジタル移動無線機に対しては、フェージングに強く、占有帯域が狭く、干渉に強いことは勿論、小形化と電池持続時間をできるだけ長くするため、消費電力が少ないことが求められている。
【０００６】
図３は本発明を適用しようとするディジタル移動無線機のブロック図である。図において、１は送受分波器、２は低雑音増幅器（ＬＮＡ）、３はバンドパスフィルタ（ＢＰＦ）、４はミキサ、５は復調器、６はＴＤＭＡ多重分離回路、７は音声コーデック、８は音声回路、９は変調器、１０はミキサ、１１はＢＰＦ、１２は電力増幅器（ＰＡ）、１３は周波数シンセサイザ、１３−１は電圧制御発振器（ＶＣＯ）、１４は制御部、１５は切替器である。
【０００７】
ＶＣＯ１３−１から出力される周波数シンセサイザ１３の出力ｃは、切替器１５によって受信用ミキサ４と送信用ミキサ１０に切替え供給される。この場合、ＶＣＯ１３−１は、制御部１４からの送受帯域切替信号ｂによって、受信時は受信帯域Ｒの自局のチャネル周波数信号ｃを出力して受信ミキサ４に供給し、送信時は送信帯域Ｔの自局チャネル周波数信号ｃを出力して送信ミキサ１０に供給するように構成されている。信号ａは自局のチャネル周波数に合わせるためのＶＣＯ１３−１の制御電圧である。
【０００８】
図４は従来のＶＣＯの詳細回路図である。図において、２１は共振回路であり、誘電体共振器Ｚとバラクタダイオード（可変容量ダイオード）ＣＲ0 が並列接続され、制御電圧ａによって共振周波数を５．４ＭＨｚ〜７．９±０．８ＭＨｚ／Ｖの範囲で変化させることができる。２２は発振回路であり、共振回路２１と接続されて９００ＭＨｚ帯の発振信号をバッファ段を介して出力する。２４は周波数帯域切替部であり、共振回路２１の誘電体共振器Ｚに並列に接続して発振周波数帯域を変える（下げる）ための付加コンデンサＣ1 と、その接地をオン／オフ（接／断）するスイッチ回路２３とからなり、制御部１４からの送受帯域切替信号ｂにより、ピンダイオードＣＲ1 ，ＣＲ2 に与えるバイアス電流をオン／オフしてコンデンサＣ1 をオン／オフする。
【０００９】
【発明が解決しようとする課題】
しかしながら、上記従来の回路では、スイッチ回路２３をオンにしてコンデンサＣ1 を接続したとき、ＶＣＯの出力は周波数の低い受信帯域（Ｒ）となり、無線機の送信時間より長い受信待ち受け時間に、スイッチ回路２３のピンダイオードＣＲ2 ，ＣＲ3 に流れる電力が消費するという問題がある。
この場合、スイッチ回路２３がオンの状態で待ち受け時間のとき、スイッチ回路２３に約５ｍＡの電流が流れ、ＶＣＯ全体では１８ｍＡの電流が流れる。
【００１０】
本発明の目的は、上記待ち受け時に消費するスイッチ回路２３の電力を０にして、その分、無線機の消費電力を低減するように構成した移動無線機を提供することにある。
【００１１】
【課題を解決するための手段】
本発明の移動無線機は、受信周波数帯域が送信周波数帯域より低く割当てられたＴＤＭＡ方式のディジタル移動無線システムの送受信機であって、
局部発振手段として設けられた電圧制御発振器の共振回路に並列接続された付加リアクタンスを送受帯域切替信号によりオン／オフすることによって送信スロットと受信スロットの局発信号を送信側ミキサと受信側ミキサに対して切替え出力する周波数シンセサイザが備えられたディジタル移動無線機において、
前記付加リアクタンスは、前記共振回路に並列接続された第１のコンデンサとコイルとの直列回路と、該コイルと並列に設けられ前記送受帯域切替信号によりオン／オフされる第２のコンデンサとからなり、
前記第１のコンデンサ，前記コイル，前記第２のコンデンサの値は、該第２のコンデンサがオフのときの前記付加リアクタンスのインピーダンスが、オンのときのインピーダンスより大きく、かつ、オフの時とオンの時の前記電圧制御発振器の出力周波数の差が所定の値になるように設定され、オフのとき受信周波数帯域となるように構成したことを特徴とするものである。
【００１２】
【発明の実施の形態】
図１は本発明の要部をなすＶＣＯの詳細回路図である。図４の従来回路との違いは、周波数帯域切替部２５の付加リアクタンスを、コンデンサＣ2 とコイルＬ1 の直列回路と、コイルＬ1 と並列にコンデンサＣ3 をスイッチ回路２３を介して設けたことにある。
【００１３】
このように周波数帯域切替部２５の回路を構成し、送受帯域切替信号ｂの極性を逆にすると、スイッチ回路２３をオンにしたときＶＣＯの発振周波数を周波数の高い送信帯域にすることができる。そのために、２つのコンデンサＣ2 ，Ｃ3 とコイルＬ1 の値は、次のように設定する。
【００１４】
スイッチ回路２３がオフのときのインピーダンス、すなわち、コンデンサＣ2 とコイルＬ1 の直列回路のインピーダンスをＸOFF とし、スイッチ回路２３がオンのときのコイルＬ1 とコンデンサＣ3 の並列インピーダンスとコンデンサＣ2 とのインピーダンスをＸONとしたとき、ＸOFF ＞ＸONの関係で、かつ、送信／受信周波数の差が所定の値、例えば４５ＭＨｚになるように設定する。次の表１は具体例である。
【００１５】
【表１】
0003961663.tif 000002
【００１６】
図１の周波数帯域切替部２５のコンデンサＣ2 の値をできるだけ小さくすることにより、コイルＬ1 による共振回路のＱの低下を最小限に抑えることができる。これは、コイルＬ1 による損失を軽減する手段の一つである。
【００１７】
【発明の効果】
以上詳細に説明したように、本発明を実施することにより、無線機の待ち受け時間には、スイッチ回路２３の電流が流れず、待ち受け時間におけるスイッチ回路２３の電力消費を０にすることができる。
【図面の簡単な説明】
【図１】本発明の要部であるＶＣＯの実施例を示す回路図である。
【図２】送受信周波数帯域の配列例を示す説明図である。
【図３】本発明を適用する無線受信機のブロック図である。
【図４】従来のＶＣＯの回路例図である。
【符号の説明】
１  送受分波器
２  ＬＮＡ
３，１１  ＢＰＦ
４，１０  ミキサ
５  復調器
６  ＴＤＭＡ多重分離回路
７  音声コーデック
８  音声回路
９  変調器
１２  ＰＡ
１３  周波数シンセサイザ
１３−１  ＶＣＯ
１４  制御部
１５  切替器
２１  共振回路
２２  発振回路
２３  スイッチ回路
２４，２５  周波数帯域切替部
【図１】
0003961663.tif 000003
【図２】
0003961663.tif 000004
【図３】
0003961663.tif 000005
【図４】
0003961663.tif 000006